(57)【要約】【課題】ファクシミリ等から送信された情報をインターネット上へ発信する情報の作成・更新を支援する発信情報作成支援装置に関する。従来のファクシミリを用いた情報発信装置では、送信した情報をそのままホームページとして表示するため、情報を送信する毎に同じ商品の絵を何度も描く必要があり、また、描いた絵の上手下手によりユーザーにわかりにくいものとなる。また、他人によるホームページが改造されるなどのいたずらが生じた。【解決手段】あらかじめ送信した手書き情報・写真を組み合わせて、ホームページの作成を指示する。用紙にはＩＤ、登録ファクシミリ番号等の情報を暗号化しＱＲコード等として記録する。センターは登録ファクシミリからの情報のみ受信しいたずらを防止する。ホームページは数種類のフォーマットを準備し、その中より選択することにより容易に各種のホームページを作成可能とする。【選択図】図１
2008192112.tif 000002
【特許請求の範囲】
【請求項１】
イメージ情報入力機器を用い、インターネット上へ発信する情報の作成・更新を支援する発信情報作成支援システムにおいて、情報発信者からイメージ情報入力機器を用いて送信されたイメージ情報をセンターにて受信し、受信した情報から画像・文字等のイメージ情報Ａを抽出するイメージ情報抽出手段と、抽出したイメージ情報Ａを固有の識別番号を付けてサーバーに蓄積する手段とを有し、別途または後日、情報発信者からイメージ情報入力機器を用いて送信された情報をセンターにて受信し、受信した情報から発信情報作成指示等の情報Ｂを抽出する抽出手段と、抽出された情報Ｂの指示により、イメージ情報Ａを用いてまたは組み合わせて発信情報を作成することを特徴とする発信情報作成支援装置
【請求項２】
請求項１において、情報発信者のＩＤ、ユーザー名、登録ファクシミリ番号、電話番号、シート番号、シートバージョン等を暗号化し、センターへの送信するシートにＱＲコード等により印刷して記録することを特徴とした送信シートを用いる発信情報作成支援装置
【請求項３】
請求項１において、ＪＰＥＧ方式等で圧縮・デジタル化された写真等の画像をイメージ情報Ａとしてサーバーに蓄積し、用いる事を特徴とする発信情報作成支援装置
【請求項４】
請求項１において、センターへ公開する情報の作成を指示する情報Ｂの作成・指示方法をマークシート方式とし、ユーザーが簡単に公開情報の作成・指示ができるようにした送信シートを用いる発信情報作成支援装置
【発明の詳細な説明】
【技術分野】
【０００１】本発明は、イメージスキャナ、ファクシミリ等のイメージ情報入力機器を用い送信された情報を用いて、インターネット上へ発信する情報の作成・更新を支援する発信情報作成支援装置に関する。
【背景技術】
【０００２】従来、インターネットへ情報を発信するために、パーソナルコンピュータ等のハードウェア環境や、記述言語、情報を加工・編集するソフトウェア、それらに関する知識を必要としていた。【０００３】一方、そのような特別な環境を必要とせずに、情報を発信するためのツールとしてファクシミリにより送信した情報によりホームページの作成・更新を支援するシステムが提案されている。
【特許文献１】特開平１０−３０１９２８号公報
【発明の開示】
【発明が解決しようとする課題】
【０００４】インターネットへの発信情報は、ＨＴＭＬ言語で記述され、様々な情報の素材が織り混ぜられている。このことから、情報を発信するためには、素材を作成するハードウェア環境や、ＨＴＭＬ言語、または情報を作成するためのソフトウェア、使用法の知識が必要となっていた。【０００５】すでに公開されているファクシミリを用いた情報発信装置では、ファクシミリにて送信した情報をそのままホームページとして表示するため、情報を送信する毎に同じ商品の絵を何度も描く必要があり、また、描いた絵の上手下手によりユーザーにわかりにくいものとなっていた。その他、他人により無断でホームページが改造されるなどの「いたずら」が生じる問題があった。【０００６】本発明は、上記に鑑みてなされたもので、その目的とするところは、イメージ情報入力機器を用いた簡単な情報の入力システムであり、第１段階として公開情報を蓄積する方法を採用したため、センターへ情報を送信する毎に同じ商品の絵を何度も描く必要がなく、また、別途送付・郵送した写真を使用可能とした。第２段階として、第１段階にて送信した情報を組み合わせてホームページを作成する為、簡単に、また綺麗なホームページの作成が可能である。その他、他人により無断でホームページが改造されるなどの「いたずら」が出来ないシステムを提供することにある。
【課題を解決するための手段】
【０００７】本発明では、ファクシミリから送信された画像、文字などの情報を受信しイメージ情報Ａとして必要な部分を切り取りサーバーに蓄積する。受信したイメージ情報Ａは固有の識別番号（ファイル名等）をつけてサーバーに蓄積する。その他、写真等を用いる場合は郵送されてきた写真等をセンターにて加工し、デジタル化することによりイメージ情報Ａとしてサーバーに保管することも可能である。その事により、情報発信者が描いた絵とは異なり、綺麗な商品のデータベースが作成される。  その後、固有の識別番号をつけてサーバーに蓄積した情報を情報発信者が利用できるように固有の識別番号と共に、情報発信者へ知らせる。このように、イメージ情報Ａをサーバーに蓄積し、固有の識別番号を付与する方法をとることにより、同じ情報を何度も繰り返し使用できる。【０００８】別途または後日ファクシミリから送信された情報Ｂには、イメージ情報Ａを組み合わせて、情報を公開する日時、情報を削除する日時、使用するホームページフォーマットなどをマークシートに記載する。その情報によりホームページ作成を指示する。  イメージ情報Ａと情報Ｂを送信する用紙は情報発信者毎に作成して情報発信者にあらかじめ渡しておく。【０００９】送信シート１（イメージ情報Ａを含む）と送信シート２（情報Ｂを含む）の用紙には、情報発信者のＩＤ、ユーザー名、登録ファクシミリ番号、電話番号、シート番号（送信シート１と２の区別）、シートバージョン（シート記載の内容を変更したとき、バージョンを変更する）等の情報を暗号化しＱＲコード等として印刷する。  該コードに記録された情報は暗号化されており、他人が容易に読みとれないようにする。  ホームページはあらかじめ数種類のフォーマットを準備し、ユーザーはその中より選択することにより容易に各種のホームページを作成できるようにする。【００１０】  一方、送信シートが他人にわたり、「いたずら」されることを防止するため、センターが情報を受信したとき、送信されたファクシミリの電話番号を確認する（発信者電話番号を確認する）  情報発信者のＩＤに対応する登録ファクシミリ電話回線から情報が送信された事が判明した場合、正常な情報発信者からの情報であると判断し情報を受信するようにする。発信者電話番号が一致しない場合はエラーとして廃棄する。【００１１】また、現時点では予測できない原因により「いたずら」が生じた場合、送信シートに暗号化されＱＲコード等により印刷された情報の暗号化の鍵を変更し、用紙を作り直すことにより継続して「いたずら」が生じないようにする。そして、その場合記録するシートバージョンを変更する。また、用紙のフォーマットを変更した場合にもシートバージョンを変更する。現実には、用紙が他人にわたっても、あらかじめ登録したファクシミリから送信されない限り「いたずら」は不可能である。
【発明の効果】
【００１２】以上述べたように、ファクシミリ送信することにより、容易にホームページを作成・更新することが可能であり、毎日の特売情報などをホームページで容易に公開することが出来る。  本発明は、上記に鑑みてなされたもので、その目的とするところは、イメージ情報入力機器を用いた簡単な情報の入力により即時にインターネット上へ情報の発信を可能とする発信情報作成支援システムを提供することにある。
【発明を実施するための最良の形態】
【００１３】本発明は、受信した情報からイメージ情報Ａを切り取る機器１３、ＱＲコード等およびその暗号を解読する機器１３、イメージ情報を蓄積するサーバー１４、識別番号を付与した情報を情報発信者へ返送する機器１５、蓄積した情報の組み合わせでホームページを作成するソフト１６、作成したホームページを公開サーバーへ送信するソフト１７、およびそれらの情報を提供する送信シート１（２０），ホームページの作成を指示する送信シート２（４０）からなる。
【実施例】
【００１４】以下、図面を用いて本発明の実施の形態について詳細に説明する。図１は、本発明の発信情報作成支援システムの構成を示すシステム図である。本実施形態における発信情報作成支援システムは、小規模小売商店主のような情報発信者がファクシミリ等のイメージ情報入力機器を用いてインターネット上へ発信する情報の作成・更新を支援するものである。【００１５】具体的には、情報発信者が図４および図６に示すような定型の送信シート１（２０）および２（４０）をファクシミリのようなイメージ情報入力機器でセンターへ送信する。この送信情報をセンターで受信・編集して、センターサーバーからインターネット上の公開サーバーへ送信し、公開するものである。【００１６】日々買い物を行うユーザーは携帯電話等１９によりインターネット接続を行い、商店会のホームページへアクセスすることにより、各種の情報を得ることが出来る。【００１７】発信情報作成支援システムのセンター１２は、情報発信者からイメージ情報入力機器１０で送信されたイメージ情報を受信し、受信した情報より送信シート１（２０）のあらかじめ定められた範囲内に記載された情報（イメージ情報Ａ）を切り取り、固有の識別番号をつけてサーバーに蓄積する。確認のため、受信した情報を識別番号とともに情報発信者のファクシミリに返送装置１５にて返信する。蓄積した情報は公開日時になるとセンターサーバーからインターネット上の公開サーバーに送信する。【００１８】図２は、イメージ情報に識別番号を付与し、サーバーに蓄積する方法を説明した図である。情報発信者は送信シート１（２０）に商品情報などを記載し、ファクシミリにてセンターへ送信する。受信したセンターは、正規の送信者からの情報であるか確認し、異常がなければ情報部分２１（イメージ情報Ａ）を切り取り、識別番号を付与しサーバーに蓄積する。【００１９】切り取られた情報部分２１は、センターにて付与した識別番号と共に情報発信者へ送信することにより、切り取られた情報（イメージ情報Ａ）と識別番号を関係づけ知ることができる。  送信すべき情報が複数ある場合は、続けて送信シート１（２０）を用いてセンターへ送信すればよい。【００２０】送信情報の異常を確認する方法は以下の通りである。送信シート１（２０）には、情報発信者のＩＤ、ユーザー名、登録ファクシミリ番号、電話番号、シート番号、シートバージョン等が暗号化されて印刷されている。それらを読み出し、暗号を解読することにより情報を取り出す。取り出された情報から登録ファクシミリ番号と情報が発信された発信者電話番号の一致を調べ、一致すれば正規の登録者からの情報であると確認し、一致しない場合には他人による「いたずら」であると判断して廃棄する。【００２１】図３において、写真を登録する場合について述べる。写真の場合は、スキャナで読みとり、電子メールに添付してセンターに送信する方法がある。しかし、その場合はパソコンや電子メールソフトを使用する必要があり、そのような知識を持たない人には使用できない。そこで本発明では商品の写真２５を郵送にてセンターへ送付する。送付された写真２５はセンターにて、デジタル化し、固有の識別番号をつけてサーバーに蓄積する。その後、���真と識別番号を情報発信者へ２６のような用紙を用いてファクシミリなどで情報発信者へ送信する。【００２２】図１０は、準備作業をフローチャートとして示したものである。情報をセンターへ送信・送付する方法として、ファクシミリを用いて送信する方法と、郵送等により写真を送付する方法がある。【００２３】第１に、ファクシミリ等を用いて送信シート１にて情報をセンターへ送信する場合は、シート１に必要な情報を記載後センターへファクシミリにて送信する。センターは情報部を切り取り（イメージ情報Ａ）固有の識別番号を付けてサーバーに蓄積する。そして、図５に示す用紙２２にて蓄積したイメージ情報Ａと識別番号３１を記載して情報発信者へ送信し、情報送信者はその内容を確認する。【００２４】送信シート１の記載要領は以下の通りである。該用紙のフォーマットは情報送信者毎にあらかじめ作成されている。用紙２０の中で、２１の部分に登録すべき情報を記載する。その場合、縦書きと横書きを区別する。縦書きの場合は「縦使用時マーク」の部分にマークする。横書きの場合は「横使用時マーク」の部分にマークする。そして、それぞれの範囲内に公開する情報を記載する。【００２５】送信シート１には、各種の情報を記録したＱＲコード等を印刷している。ＱＲコード等には情報発信者のＩＤ、ユーザー名、登録ファクシミリ番号、電話番号、シート番号、シートバージョン等の情報を暗号化し記録する。該コードはＱＲコードに限定されず、バーコードやバーコードを２段、３段に使用したものでも良い。  該コードに記録された情報はＤＥＳ等により暗号化されており、他人が容易に知ることが出来ないようにする。【００２６】図５は、センターに登録された情報を情報発信者へ知らせるための用紙である。２１の部分には登録された情報が印刷される。そして３１の部分には識別番号が印刷される。本用紙が、情報発信者のファクシミリへ送信されることにより正しく登録されたことが確認される。【００２７】第２に、商品の写真をセンターへ郵送した場合を図３に示す。情報発信者からセンターへ郵送された写真は、センターにて写真をデジタル化し、識別番号を付けてサーバーに蓄積する。次に図５に示す用紙２２にて記録したイメージ情報Ａと識別番号３１を記載して情報発信者へ送信し、情報発信者はその内容を確認する。以上により、準備作業は終了する。【００２８】準備作業を終了した後、ホームページに情報を公開する場合の手順について述べる。その手順は図１１のフローチャートに示す。図６に示す送信シート２に必要な情報を記載しセンターへ送信する。センターはその情報をもとにホームページを作成し、その情報を指示された日時に公開サーバーに送信することにより公開される。【００２９】送信シート２（４０）にはホームページのパターンを示す部分４１，情報の配置を示す部分４２，情報の処理を示す部分４３，情報掲載開始月日、時分を示す部分４４、４５，終了月日を示す部分４６，表示のカテゴリーを示す部分４７，情報発信者のＩＤ、ユーザー名、登録ファクシミリ番号、電話番号、シート番号、シートバージョン等を暗号化してＱＲコード等で印刷した部分３０ｂ等から構成されている。【００３０】４１にしめす、ホームペ��ジのパターンは、図７に示すような各種のフォーマットがあらかじめ準備される。情報発信者はどのパターンを使用するか選択し必要な部分をマークする。４２は、ホームページのパターンにおいて登録された情報をどのように配置するかを示す。その要領は図９にて示す。図６の４３は、この送信シート２で送信した情報の扱いを示している。すなわち、以下の条件で「掲載」するのか、すでに掲載している情報を「削除」するのかを示す。【００３１】図７は、ホームページのパターン例を示す。本システムではあらかじめ数種のホームページのパターンを定めている。情報発信者はその中から必要なパターンを選択して使用する。そのことにより、数種のパターンを使用して容易にホームページを作成することが可能となる。【００３２】４４，４５はこれらの情報を掲載する月日、時分を該当部分にマークする。４６は掲載する情報を削除する月日をマークする。そして、４７は掲載情報のカテゴリーを示しており、必要な部分をマークする。カテゴリーはホームページに公開する場合、その上部にカテゴリーを示す言葉が表示される。【００３３】３０ｂは、情報発信者のＩＤ、ユーザー名、登録ファクシミリ番号、電話番号、シート番号、シートバージョン等を暗号化してＱＲコード等で印刷した部分である。この部分は、いたずら防止などに使用される。いたずらを防止するためにこれらの情報は暗号化されている。暗号化方式は良く知られているＤＥＳ、ＦＥＡＬなどが使用される。暗号化の鍵はセンターにて秘密に保管され情報発信者も知ることができない。そして、いたずらが発生した場合には鍵を変更して新しい用紙を作成し情報発信者へ再配布することによりいたずらが継続することを防止する。一般に、該暗号化の鍵は情報発信者毎に異なった鍵が使用される。【００３４】図８、図９は、情報の識別番号の指定方法を示している。図８では３×３のマーク部分を採用しているため、１００番台では１００〜３００，１０番台では１０〜３０，１番台では１〜３となる。本例では１１１〜３３３までの２７件の情報を指定できる。情報数が不足する場合は、４×４のマークにすることにより１１１〜４４４の６４件指定可能となる。業種により、より多くの種類が必要な場合は必要に応じて拡張可能である。【００３５】図９を用いて、ホームページを作成する要領を示す。ホームページの作成はサーバーに蓄積された情報を組み合わせて作成する。図９の５０に示すホームページのパターンＡでは、まずホームページの上部に宛先と図６の４７のマークを読みとったカテゴリーを表示する。その下部の情報を表示する部分は４つの部分に分割されている。その各部分に何を表示するかは、シート２の４２の部分で指示する。ここに識別番号をマークすることにより表示すべき情報を決定する。その結果、５０ａには識別番号１１２の情報が、５０ｂには識別番号１１３の情報がはめ込まれて表示される。具体的には、センターにてホームページ作成ソフト（具体例表示せず）にて蓄積された情報を読み出し自動的にホームページを作成する。【００３６】図９の５２においては、ホームページのパターンＣの場合であり、５２ａに識別番号１１２を５２ｂに識別番号１１１をはめ込んだ場合を示す。【０���３７】図１２は、情報Ｂをセンターが受信した後の手順を示したフローチャートである。センターが情報Ｂを受信した場合は、その用紙に記載されたマークを読みとり、その指示に従ってセンターサーバーに準備されたホームページ作成ソフトにてホームページを作成する。そして、公開月日、時分になれば公開サーバーへ情報を送信する。【００３８】本システムでは送信シート１および送信シート２をマークし、ファクシミリでセンターへ送信することにより誰でも、簡単にホームページの作成・更新が可能となる。特に送信シート２において、センターへのホームページ作成の指示を全てマークシートで指示することにより誰でも簡単にホームページの作成・指示が出来るようにしたところに大きな特徴がある。
【発明の効果】
【００３９】以上述べたように、本発明によれば、情報発信者から送信されたイメージ情報入力機器からの情報を受信し、該受信情報から記入領域を切り出し（イメージ情報Ａ）、この切り出されたイメージ情報Ａをサーバーに蓄積する。  後日又は別途、情報発信者から送信された情報Ｂの指示によりイメージ情報Ａを組み合わせてホームページを作成し公開する。  パソコンやホームページ作成ソフトの操作を行うことなく、簡単な操作により、多彩な表現を持つホームページが簡単に作成できる。また、手書きの絵のみでなく写真も使用可能とすることにより綺麗な商品の写真を公開することができる。また、その作成・指示は全てシートにマークするだけであるので非常に簡単であり、誰でも使用可能である。そして、情報発信者ファクシミリの電話番号を検査することによりいたずらの生じないようにしている。情報の編集が容易であり、日々更新される情報等を簡易にホームページにて提供することができる。
【図面の簡単な説明】
【図１】本発明の一実施形態に係る発信情報作成支援システムの構成を示すシステム図
【図２】イメージ情報Ａを登録する説明図
【図３】イメージ情報Ａを登録する別の説明図
【図４】イメージ情報Ａを送信する送信シート１の例
【図５】シート１から切り抜いたイメージ情報を情報発信者へ返送するシート例
【図６】情報Ｂを送信する送信シート２の例
【図７】ホームページのパターン例
【図８】ファイル名（識別番号）記入要領
【図９】識別番号記入要領
【図１０】準備作業のフローチャート
【図１１】情報発信者の作業のフローチャート
【図１２】センター作業のフローチャート
【符号の説明】
１０：イメージ情報入力機器
１２：センター
１９：ホームページ閲覧機器（パソコン、携帯電話など）
２０：送信シート１の例
２２：情報返送用紙の例
４０：送信シート２の例
５０，５１，５２：ホームページのパターン例
【図１】
2008192112.tif 000003
【図２】
2008192112.tif 000004
【図３】
2008192112.tif 000005
【図４】
2008192112.tif 000006
【図５】
2008192112.tif 000007
【図６】
2008192112.tif 000008
【図７】
2008192112.tif 000009
【図８】
2008192112.tif 000010
【図９】
2008192112.tif 000011
【図１０】
2008192112.tif 000012
【図１１】
2008192112.tif 000013
【図１２】
2008192112.tif 000014